(57)【特許請求の範囲】
【請求項１】
バーナ装置（１０）を稼動する方法であって、このバーナ装置（１０）内では、燃焼空気を含む高温の燃焼ガス（１８）が、燃焼器壁（１５）に対してほぼ平行にこの燃焼器壁（１５）と境を成す混合室（１２）を通じて燃焼室（１３）に流れ、前記混合室（１２）内で噴入された燃料（１９）と混合され、流出冷却の範囲内では、冷却空気（２０）が、前記燃焼器壁（１５）の外側から前記燃焼器壁（１５）内の流出孔（１６）を通じて前記混合室（１２）内に流入する当該方法において、
前記燃焼器壁（１５）の外側の前記冷却空気（２０）の流れ方向が、偏向要素（２１，２２）によって偏向されるものであり、
孔（２５）を有する穿孔板（２３）が、前記燃焼器壁（１５）の外側に且つこの燃焼器壁（１５）に対して距離をあけて配置されていること、及び、前記冷却空気（２０）が、前記燃焼器壁（１５）に面さない前記穿孔板（２３）の側面上に誘導され、前記偏向要素（２１，２２）によって前記穿孔板（２３）の前記孔（２５）内に偏向され、前記燃焼器壁（１５）に向かって流れることを特徴とする方法。
【請求項２】
前記燃焼器壁（１５）の外側の前記冷却空気（２０）は、この燃焼器壁（１５）に対して平行な速度成分を有すること、及び、前記冷却空気（２０）の静圧が、前記偏向要素（２１，２２）の上流で上昇されることを特徴とする請求項１に記載の方法。
【請求項３】
前記燃焼器壁（１５）の外側の前記冷却空気（２０）は、この燃焼器壁（１５）に対して平行な速度成分を有すること、及び、前記冷却空気（２０）は、前記燃焼器壁（１５）の方向に偏向されることを特徴とする請求項１に記載の方法。
【請求項４】
前記冷却空気（２０）は、１つの偏向要素（２１，２２）ごとによって複数の前記流出孔（１６）のうちの１つの流出孔（１６）内に偏向されることを特徴とする請求項３に記載の方法。
【請求項５】
前記冷却空気（２０）は、１つの偏向要素（２１，２２）ごとによって複数の流出孔（１６）内に偏向されることを特徴とする請求項３に記載の方法。
【請求項６】
前記流出孔（１６）の軸線が、前記燃焼器壁（１５）に対して傾いていること、及び、前記冷却空気（２０）が、これらの流出孔（１６）内への流入時にこれらの流出孔（１６）の軸線に対してほぼ平行に流れるように、前記冷却空気（２０）が、前記偏向要素（２２）によって偏向されることを特徴とする請求項４又は５に記載の方法。
【請求項７】
前記流出孔（１６）の軸線が、前記燃焼器壁（１５）に対して傾いていること、及び、前記冷却空気（２０）が、これらの流出孔（１６）内への流入時に前記燃焼器壁（１５）に対してほぼ垂直に流れるように、前記冷却空気（２０）が、前記偏向要素（２１）によって偏向されることを特徴とする請求項４又は５に記載の方法。
【請求項８】
スプーン状のシャーレが、偏向要素（２１，２２）として使用され、これらのシャーレは、付随する前記流出孔（１６）を一方の側から遮蔽し、流れ込む冷却空気（２０）の方向に開いていることを特徴とする請求項１〜７のいずれか１項に記載の方法。
【請求項９】
バーナ装置（１０）であって、このバーナ装置（１０）は、流れ方向に延在する混合室（１２）を有し、この混合室（１２）は、燃焼器壁（１５）を介して外部と境を成していて、その上流に燃焼空気を含む高温の燃焼ガス（１８）用の吸気口（１１）を有し、その下流に燃焼室（１３）が接続していて、燃料（１９）を噴入する燃料ランス（１４）が、前記混合室（１２）内に突出していて、前記燃焼器壁（１５）が、流出孔（１６）を有し、この燃焼器壁（１５）の外側で誘導された前記冷却空気（２０）が、これらの流出孔（１６）を通じて前記混合室（１２）内に流入可能である当該バーナ装置において、
偏向要素（２１，２２）が、前記燃焼器壁（１５）の外側に配置されていて、これらの偏向要素（２１，２２）は、流れ込まれた前記冷却空気（２０）を前記燃焼器壁（１５）の方向に偏向させるものであり、
孔（２５）を有する穿孔板（２３）が、前記燃焼器壁（１５）の外側に且つこの燃焼器壁（１５）に対して距離をあけて配置されていること、及び、前記冷却空気（２０）が、前記偏向要素（２１）によって前記穿孔板（２３）の前記孔（２５）内に偏向され、前記燃焼器壁（１５）に向かって流れるように、これらの偏向要素（２１）が、前記燃焼器壁（１５）に面さない前記穿孔板（２３）の側面上に配置されていることを特徴とするバーナ装置。
【請求項１０】
前記冷却空気（２０）が、前記燃焼器壁（１５）の方向に偏向されるように、前記偏向要素（２１，２２）が形成されていることを特徴とする請求項９に記載のバーナ装置。
【請求項１１】
１つの偏向要素（２１，２２）がそれぞれ、複数の前記流出孔（１６）のうちの１つの流出孔（１６）に割り当てられていることを特徴とする請求項１０に記載のバーナ装置。
【請求項１２】
１つの偏向要素（２１，２２）がそれぞれ、複数の流出孔（１６）に割り当てられていることを特徴とする請求項１０に記載のバーナ装置。
【請求項１３】
前記流出孔（１６）の軸線が、前記燃焼器壁（１５）に対して傾いていること、及び、前記冷却空気（２０）が、これらの流出孔（１６）内への流入時にこれらの流出孔（１６）の軸線に対してほぼ平行に流れるように、前記偏向要素（２２）が形成されていることを特徴とする請求項１１又は１２に記載のバーナ装置。
【請求項１４】
前記流出孔（１６）の軸線が、前記燃焼器壁（１５）に対して傾いていること、及び、前記冷却空気（２０）が、これらの流出孔（１６）内への流入時に前記燃焼器壁（１５）に対してほぼ垂直に流れるように、前記偏向要素（２０）が形成されていることを特徴とする請求項１１又は１２に記載のバーナ装置。
【請求項１５】
前記偏向要素（２１，２２）が、スプーン状のシャーレとして形成されていて、これらの偏向要素（２１，２２）は、付随する流出孔（１６）を一方の側から遮蔽し、流れ込む冷却空気（２０）の方向に開いていることを特徴とする請求項９〜１４のいずれか１項に記載のバーナ装置。
【発明の詳細な説明】
【技術分野】
【０００１】
本発明は、特にガスタービンの燃焼器技術の分野に関する。本発明は、請求項１の上位概念に記載のバーナ装置を稼働させる方法に関する。さらに、本発明は、この方法を実施するバーナ装置に関する。
【背景技術】
【０００２】
以前から、いわゆる連続燃焼によるガスタービンが、従来の技術で公知である。当該ガスタービンの場合、第１燃焼室からのワーキングガスが、第１タービン内の膨張仕事後に第２燃焼室に供給される。第２の燃焼が、この第２燃焼室で当該ワーキングガス中に含まれている燃焼空気を使って実施される。そして、新たに加熱されたワーキングガスが、第２タービンに供給される。
【０００３】
この第２の燃焼のため、いわゆるＳＥＶ燃焼器が、本出願人によって使用される。当該ＳＥＶ燃焼器は、例えば論文“Field experience with the sequential combustion system of GT24/GT26 gas turbine family”, ABB Review 5, 1998, 第12-20頁又はヨーロッパ特許出願公開第２  １６９  ３１４号明細書（図１参照）に記されている。
【０００４】
このようなＳＥＶ燃焼器が、図１中に概略的に示されている。図１のＳＥＶ燃焼器１０は、流れ方向（長手方向の矢印参照）に延在する混合室１２を有する。吸気口１１が、その上流にこの混合室１２が接続している。（図示されなかった）第１燃焼室からのワーキングガス１８が、（図示されなかった）第１タービン内の圧力緩和後に混合室１２内に流入され得る。燃焼室１３が、その下流に混合室１２が接続している。対応する火炎境界１７を有するバーナ火炎が、稼働中にこの燃焼室１３内で発生する。混合室１２は、燃焼器壁１５を介して外部と境を成している。この燃焼器壁１５は、多数の流出孔１６を有する。屈曲された燃料ランス１４が、混合室１２内に突出している。燃料１９が、当該燃料ランス１４から混合室１２内に噴入される。
【０００５】
外部の冷却空気２０が、混合室１２内の燃焼ガス１８の流れ方向に対して逆の方向に供給される。この冷却空気２０は、燃焼器壁１５内の流出孔１６を通じて混合室１２内に流入し、流出冷却を引き起こす（図２参照）。
【０００６】
燃焼器壁１５が、冷却空気をこの燃焼器壁１５に沿って供給することによって対流冷却される。冒頭で述べたヨーロッパ特許出願公開第２  １６９  ３１４号明細書中で既に説明したように、このようなＳＥＶ燃焼器では、当該連続燃焼器が、さらにより高温のガス温度で且つ高反応性の燃料で稼働され得るように、当該冷却を改良し、またフラッシュバックをさらに強く抑えたいという願望がある。
【０００７】
ガスタービンの従来の燃焼器の場合、集中冷却板内の所定の複数の孔にいわゆる「流れ捕獲要素」又は「スコップ」を施して、冷却空気の、局部的により高い体積流を提供することによって、移行部分の集中冷却時に当該集中冷却板にわたる冷却空気の分布を変更すること及び当該分布に影響を及ぼすことが提唱されている（米国特許第７，４９３，７６７号明細書；図８及び９参照）。この場合は、流出冷却部分が一部にしかないために、冷却空気が、燃焼器壁を直接通過して混合室内に流入するのではなくて、燃焼器壁の外側に沿って送風されるので、混合室内の流れと燃焼器壁を通じて流入する冷却空気との相互作用を考慮する必要がない。
【０００８】
しかしながら、ＳＥＶ燃焼器の場合は、密接な関係が、流入する拡散冷却空気と混合室又はこの混合室の後方に続く燃焼室内の流れの挙動との間に存在する。
【先行技術文献】
【特許文献】
【０００９】
【特許文献１】ヨーロッパ特許出願公開第２  １６９  ３１４号明細書
【特許文献２】米国特許第７，４９３，７６７号明細書
【非特許文献１】“Field experience with the sequential combustion system of GT24/GT26 gas turbine family”, ABB Review 5, 1998, 第12-20頁
【発明の概要】
【発明が解決しようとする課題】
【００１０】
本発明の課題は、より高い燃焼温度が達成され得るか又は高反応性の燃料が使用され得るように、冒頭で述べたバーナ装置を稼働させる方法を改良すること及びこの方法を実施するバーナ装置を提供することにある。
【課題を解決するための手段】
【００１１】
この課題は、請求項１及び１０に記載の特徴の全体によって解決される。燃焼器壁の外側の冷却空気の流れ方向が、分散して配置された複数の偏向要素によって適切に偏向される点が、本発明のために重要である。これによって、当該流出冷却部が、ある程度「カスタマイズ」され得て、当該流出冷却部の効果を燃焼器のとりわけ重要な領域内で強化する。当該偏向要素の使用は、噴入された流出冷却空気の方向の大きく改善された調整を可能にする。これによって、混合室内の流れの挙動が最適にされる。このことは、−特に反応性の燃料の場合の燃焼の安定性に関して−稼動の信頼性に有益になる。
【００１２】
当該偏向要素は、その領域内で燃焼器の非常に集中した流出冷却を可能にする。特に、当該偏向要素は、燃焼器壁の外面上に直接取り付けられている。当該偏向要素は、特に４分割したシャーレ状の形を有し、したがってオーケストラシェル（コンサートホールの音響反射板）に似ている。当該偏向要素の半球形の開口部の高さ及び幅は、当該偏向要素によって覆われた流出孔の直径及び流出孔間の距離の関数として変更され得る。当該偏向要素の数及び配置は、燃焼器の形状に依存する。最大の冷却空気流が、流出孔内に偏向されるように、偏向要素の方位（すなわち、当該偏向要素の開口部の方位）が選択され得る。
【００１３】
当該偏向要素は、個別に製造されて固定され得るか又は対応して打ち抜かれた板及び／又はエンボスされた板として一緒に製造され得る。当該偏向要素は、燃焼器壁に溶接又は鋳つけされ得る。しかし、流出孔の数及び直径は、当該偏向要素の位置に適合されてもよい。
【００１４】
本発明の方法の構成は、燃焼器壁の外側の冷却空気が、この燃焼器壁に対して平行な速度成分を有すること、及び、この冷却空気が、この燃焼器壁の方向に偏向されることを特徴とする。
【００１５】
本発明の方法の別の構成は、冷却空気が、１つの偏向要素ごとによって複数の流出孔のうちの１つの流出孔内に偏向されることを特徴とする。
【００１６】
本発明の方法の別の構成は、冷却空気が、１つの変更要素ごとによって複数の流出口内に偏向されることを特徴とする。
【００１７】
本発明の方法の別の構成は、流出孔の軸線が、燃焼器壁に対して傾いていること、及び、冷却空気が、これらの流出孔内への流入時にこれらの流出孔の軸線に対してほぼ平行に流れるように、当該冷却空気が、偏向要素によって偏向されることを特徴とする。
【００１８】
本発明の方法の別の構成は、流出孔の軸線が、燃焼器壁に対して傾いていること、及び、冷却空気が、これらの流出孔内への流入時に当該燃焼器壁に対してほぼ垂直に流れるように、当該冷却空気が、偏向要素によって偏向されることを特徴とする。
【００１９】
本発明の方法の別の構成は、孔を有する穿孔板が、燃焼器壁の外側に且つこの燃焼器壁に対して距離をあけて配置されていること、及び、冷却空気が、当該燃焼器壁に面さない当該穿孔板の側面上に誘導され、偏向要素によって当該穿孔板の孔内に偏向され、当該燃焼器壁に向かって流れることを特徴とする。
【００２０】
本発明の方法のさらに別の構成は、スプーン状のシャーレが、偏向要素として使用され、これらのシャーレは、付随する流出孔を一方の側から遮蔽し、流れ込む冷却空気の方向に開いていることを特徴とする。
【００２１】
当該方法を実施する本発明のバーナ装置は、流れ方向に延在する混合室を有する。この混合室は、燃焼器壁を介して外部と境を成していて、その上流に燃焼空気を含む高温の燃焼ガス用の吸気口を有し、その下流に燃焼室が接続している。この場合、燃料を噴入する燃料ランスが、混合室内に突出していて、燃焼器壁が、流出孔を有する。この燃焼器壁の外側で誘導された冷却空気が、これらの流出孔を通じて混合室内に流入可能である。この場合、偏向要素が、燃焼器壁の外側に配置されている。これらの偏向要素は、流れ込まれた冷却空気を燃焼器壁の方向に偏向させる。
【００２２】
本発明のバーナ装置の構成は、冷却空気が、燃焼器壁の方向に偏向されるように、偏向要素が形成されていることを特徴とする。
【００２３】
本発明のバーナ装置の別の構成は、１つの偏向要素がそれぞれ、複数の流出孔のうちの１つの流出孔に割り当てられていることを特徴とする。
【００２４】
本発明のバーナ装置の別の構成は、１つの偏向要素がそれぞれ、複数の流出孔に割り当てられていることを特徴とする。
【００２５】
本発明のバーナ装置の別の構成は、流出孔の軸線が、燃焼器壁に対して傾いていること、及び、冷却空気が、これらの流出孔内への流入時にこれらの流出孔の軸線に対してほぼ平行に流れるように、偏向要素が形成されていることを特徴とする。
【００２６】
本発明のバーナ装置の別の構成は、流出孔の軸線が、燃焼器壁に対して傾いていること、及び、冷却空気が、これらの流出孔内への流入時に当該燃焼器壁に対してほぼ垂直に流れるように、偏向要素が形成されていることを特徴とする。
【００２７】
本発明のバーナ装置の別の構成は、孔を有する穿孔板が、燃焼器壁の外側に且つこの燃焼器壁に対して距離をあけて配置されていること、及び、冷却空気が、偏向要素によって当該穿孔板の孔内に偏向され、当該燃焼器壁に向かって流れるように、これらの偏向要素が、当該燃焼器壁に面さない当該穿孔板の側面上に配置されていることを特徴とする。
【００２８】
本発明のバーナ装置のさらに別の構成は、偏向要素が、スプーン状のシャーレとして形成されていて、これらの偏向要素は、付随する流出孔を一方の側から遮蔽し、流れ込む冷却空気の方向に開いていることを特徴とする。
【００２９】
本発明のバーナ装置のさらに別の構成は、偏向要素が、燃焼器壁又は穿孔板の外側の表面上に取り付けられていることを特徴とする。
【図面の簡単な説明】
【００３０】
【図１】本発明を実施するために適しているＳＥＶ燃焼器の構造を簡略化して示す。
【図２】図１によるＳＥＶ燃焼器の、流出冷却部を有する燃焼器の断面を示す。この場合、流出孔が、燃焼器壁に対して傾倒されている。
【図３】本発明による偏向要素を備えている燃焼器壁の位置を投影して示す。この偏向要素は、冷却空気を複数の流出孔内に同時に偏向させる。
【図４】本発明の別の実施の形態による偏向要素を備えている燃焼器壁の一部を投影して示す。この偏向要素は、冷却空気を１つの流出孔内だけに偏向させる。
【図５】第１の種類の偏向要素を備えている、本発明の別の実施の形態による図２に相当する燃焼器壁を示す。
【図６】第２の種類の偏向要素を備えている、本発明の別の実施の形態による図２に相当する燃焼器壁を示す。
【図７】偏向要素を有する穿孔板によって距離をあけて包囲されている、本発明のその他の実施の形態による図２に相当する燃焼器壁を示す。
【発明を実施するための形態】
【００３１】
本発明は、図１の燃焼器の特に重要な領域（特に高温の領域）内の、この燃焼器の流出冷却の作用を強化するために当該流出冷却を「カスタマイズする」又は最適にするという可能性を提供する。このことは、流体力学的に形成された偏向要素（図３及び図４中の２１）が燃焼器壁１５の低温又は外側の側面上に配置されることによって実現される。球体を４分割してシャーレにしたようなスプーン状に形成されたこれらの偏向要素２１の存在が、噴入された流出冷却空気の方向をその都度の要求に応じて調整することを可能にする。
【００３２】
さらに、当該偏向要素２１は、冷却空気が燃焼器壁１５の外側の側面上を流れ且つ静圧が当該流れの高い速度に起因して低減されている領域内で当該流れをせき止めること及び動圧の少なくとも一部を静圧に変換することを可能にする。すなわち、偏向要素２１は、流出冷却用の送風圧を上昇させること及び調整することを可能にする。
【００３３】
図３は、燃焼器壁１５内に分散させて配置された多数の流出孔１６を有する燃焼器壁１５のごく一部を示す。冷却空気が、図１に示されたこれらの流出孔１６を通じて混合室１２内に流入する。さらに、図３は、唯一の偏向要素２１を有する。矢印の方向に燃焼器壁１５に沿って流れる冷却空気２０が、捕獲されて流出孔１６に向かう方向に偏向されるように、当該偏向要素２１が、図示されなかった別の複数の偏向要素の代わりに多数の流出孔１６のうちの複数の流出孔１６を覆う。冷却空気２０を最適に偏向させるため、多数のこのような偏向要素２１が、燃焼器壁１５の全体にわたって異なる密度及び方向で配置され得る。
【００３４】
本発明の範囲内では、当然に、偏向要素２１の大きさは、流出孔１６の直径に対して変更されてもよい。図４は、１つの偏向要素２１の単独の配置を示す。唯一の流出孔１６だけが、この偏向要素２１に割り当てられている。これによって、当該平面内の、偏向された冷却空気の分布が、さらにより細かく分割され得る。
【００３５】
流出孔１６の直径に対する偏向要素２１の大きさを選択することによって、当該機能が、偏向要素として又は動圧を回収するせき止め要素として設定され得る。
【００３６】
基本的に、流出孔１６の孔の軸線が、燃焼器壁１０の平面に対して垂直に指向され得る。しかしながら、多くの場合には、図２中に示したように、流出孔１６を通じて流入する冷却空気が、混合室１２内の主流に対して平行な速度成分を有し且つ流出孔１６の軸線方向の長さがより長くなり同時に冷却効率が増大するように、当該軸線が、燃焼器壁１５の平面に対して傾いている。当該軸線と当該壁面とが成す角度αは、１０°〜８０°、特に２０°〜５０°、好ましくは３０°〜４０°の範囲にある。３５°の角度が、特に適した値として実証されている。
【００３７】
このように傾けられた流出孔１６の場合、図５中に示されたように、偏向された冷却空気が、燃焼室壁１５、すなわち当該孔の入口に対してほぼ垂直に当たるように、偏向要素２１が形成され得る。しかしながら、図６にしたがって、実際は、偏向された冷却空気が、当該孔の軸線の方向に沿って流出孔１６内に流入するように、偏向要素２２をアーチ形に設定することが、流体技術的により好ましくあり得る。
【００３８】
また、本発明の範囲内では、図７にしたがって、燃焼器壁１５から距離をあけて外側に穿孔板２３を配置することも可能である。この穿孔板２３は、対応する孔２５を有する。冷却空気が、穿孔板２３上に配置された偏向要素２１によってこれらの孔２５内に偏向されて、次いで穿孔板２３と燃焼器壁１５との間の中間室２４を横断し、流出孔１６内に流入する。一方では、燃焼器壁１５に対する付随する集中冷却効果が、この配置によって得られる。他方では、偏向された冷却空気の、流出孔に対する配分が、図５及び図６に示された構成に比べてより間接的である。
【００３９】
説明した流出冷却は、混合室１２に限定されるのではなくて、燃焼室１３のライナーにも延長可能である。本来の対流冷却に加えて、当該ライナー内の流出冷却には、空気と燃料との混合物の自発着火を回避するという課題がある。本来の対流冷却に加えて、混合室１２又は混合器内の流出冷却には、燃焼器壁１５に沿った燃焼ガスの停滞を境界層を形成することによって回避するという課題がある。
【００４０】
したがって、偏向要素２１，２２は、以下の課題を満たす：
・小さい孔を通じて冷却空気の体積流を増大させること（動圧を静圧に変換すること）。
・フラッシュバックを阻止すること。
・燃焼器壁１５の低温の側面に渦発生器（タービュレーター）の機能をさらに持たせること。
【００４１】
偏向要素２１，２２が、所定の通常の配置（梯形）で取り付けられて、これらの偏向要素２１，２２が、流体技術的に相互に影響することによって、特に冷却空気の渦の発生の機能が、当該偏向要素２１，２２によって強化され得る。燃焼器壁１５の外側の対流冷却が高まる。このため、例えば、多数の偏向要素２１，２２が、冷却空気２０の流れ方向に対して直角に配置される。この場合、連続する２列の偏向要素２１，２２がそれぞれ、互いにずらせて配置されている。
【００４２】
当該偏向要素２１，２２は、燃焼器の流出冷却を局部的に強化する。図７にしたがって、穿孔板２３が、集中冷却板として偏向要素と一緒に使用される場合、燃焼器１５の低温側の熱伝導係数が上昇する。より多くの冷却空気を流出孔１６内に偏向させるため、偏向要素２１，２２は、特に冷却空気がとりわけ高い速度を有する領域内に配置される。
【００４３】
流出冷却の大部分の領域では、冷却空気の速度が高く、僅かな静圧しか発生しないために、当該流出冷却の大部分の領域は重要視されていない。流出冷却の大部分の領域では、高温ガス側の熱負荷が、（高い熱伝導係数又は高い火炎温度に起因して）とりわけ大きいので、当該流出冷却の大部分の領域は補強される必要がある。本発明の偏向要素は、せき止めと偏向とを組み合わせることによってさもなければ流出孔を通り過ぎて流れるであろう冷却空気を捕獲する。こうして、流出孔の数を増やすことによって又は流出孔の直径を大きくすることによって、亀裂の発生の危険が高まることなしに、当該冷却が局部的に強化され得る。
【００４４】
以上により、当該偏向要素は、以下の特徴を有する：
・形が、球体を４分割したシャーレ状のものである。この場合、高さ及び幅が、流出孔の直径及び流出孔間の距離の関数として変更され得る。
・偏向要素の数及び配置は、燃焼器の形に依存する。
・最大の冷却空気流が、流出孔内に流入されるように、偏向要素の方位が選択され得る。
・偏向要素が、唯一の流出孔又は同時に複数の流出孔を覆う。
・偏向要素は、個別に製造されて取り付けられ得るか又は同時にエンボスされた板及び／又は打ち抜きされた板として製造され得る。
・偏向要素は、燃焼器に溶接又は鋳つけされ得る。
・流出孔の数及び直径は、偏向要素の配置に応じて変更され得る。
【符号の説明】
【００４５】
１０            ＳＥＶ燃焼器(Sequential EnVironmental burner)（バーナ装置）
１１            吸気口
１２            混合室
１３            燃焼室
１４            燃料ランス
１５            燃焼器壁
１６            流出孔
１７            火炎境界
１８            燃焼ガス
１９            燃料
２０            冷却空気
２１，２２      偏向要素
２３            穿孔板
２４            中間室
２５            孔
α              角度
【図１】
0005896644.tif 000002
【図２】
0005896644.tif 000003
【図３】
0005896644.tif 000004
【図４】
0005896644.tif 000005
【図５】
0005896644.tif 000006
【図６】
0005896644.tif 000007
【図７】
0005896644.tif 000008